(57)【要約】【課題】ユーザの属性に適したソフトキーボードに自動的に切り替える。【解決手段】画像処理システムは、ユーザが操作を行うソフトキーボードを制御する操作部と、前記操作部からの指示に基づき動作する本体部とを備える画像処理システムであって、前記操作部は、前記ユーザの属性と、前記ソフトキーボードが有する特徴とを対応付けて記憶する記憶手段と、前記操作を行うユーザの属性に対応する、前記記憶手段により記憶される前記特徴を有するソフトキーボードを選択する選択手段と、前記選択手段により選択された前記ソフトキーボードを表示する表示手段とを有する。【選択図】図４
2014192687.tif 000002
【特許請求の範囲】
【請求項１】
ユーザが操作を行うソフトキーボードを制御する操作部と、前記操作部からの指示に基づき動作する本体部とを備える画像処理システムであって、
前記操作部は、
前記ユーザの属性と、前記ソフトキーボードが有する特徴とを対応付けて記憶する記憶手段と、
前記操作を行うユーザの属性に対応する、前記記憶手段により記憶される前記特徴を有するソフトキーボードを選択する選択手段と、
前記選択手段により選択された前記ソフトキーボードを表示する表示手段とを有する画像処理システム。
【請求項２】
前記操作部は、
前記ユーザが当該画像処理システムを使用するためのログイン処理及びログアウト処理を行うログイン処理手段を有し、
前記選択手段は、前記ログイン処理による前記ユーザのログイン許可時に、前記ソフトキーボードを選択する請求項１記載の画像処理システム。
【請求項３】
前記操作部は、
一以上の前記ユーザと、該ユーザの属性とを対応付けて記憶するユーザ情報記憶手段を有し、
前記選択手段は、前記ログイン処理手段による前記ユーザのログアウト時に、前記ユーザ情報記憶手段に最も多く記憶される前記ユーザの属性に対応する、前記記憶手段により記憶される前記特徴を有するソフトキーボードを選択する請求項２記載の画像処理システム。
【請求項４】
前記操作部は、
前記ユーザの属性に基づき前記ソフトキーボードを選択するか否かを指定する指定手段を有し、
前記選択手段は、前記指定手段により前記ユーザの属性に基づき前記ソフトキーボードを選択しない指定がされた場合、予め定められたデフォルトの前記ソフトキーボードを選択する請求項１乃至３のいずれか一項に記載の画像処理システム。
【請求項５】
前記操作部は、
表示部を備え、
前記表示手段は、前記選択手段により選択された前記ソフトキーボードを前記表示部に表示させる請求項１乃至４のいずれか一項に記載の画像処理システム。
【請求項６】
前記操作部は、
前記ソフトキーボードと、該ソフトキーボードが有する特徴とを対応付けて記憶するソフトキーボード情報記憶手段を有し、
前記選択手段は、前記操作を行うユーザの属性に対応する、前記記憶手段により記憶される前記特徴を有する前記ソフトキーボードを、前記ソフトキーボード情報記憶手段に記憶されるソフトキーボードから選択する請求項１乃至５のいずれか一項に記載の画像処理システム。
【請求項７】
画像処理システムが備える本体部に対する動作を指示し、ユーザが操作を行うソフトキーボードを制御する操作部であって、
前記ユーザの属性と、前記ソフトキーボードが有する特徴とを対応付けて記憶する記憶手段と、
前記操作を行うユーザの属性に対応する、前記記憶手段により記憶される前記特徴を有するソフトキーボードを選択する選択手段と、
前記選択手段により選択された前記ソフトキーボードを表示する表示手段とを有する操作部。
【請求項８】
画像処理システムが備える本体部に対する動作を指示し、ユーザが操作を行うソフトキーボードを制御する操作部が行う前記ソフトキーボードの制御方法であって、
前記ユーザの属性と、前記ソフトキーボードが有する特徴とを対応付けて記憶する記憶ステップと、
前記操作を行うユーザの属性に対応する、前記記憶ステップにより記憶される前記特徴を有するソフトキーボードを選択する選択ステップと、
前記選択ステップにより選択された前記ソフトキーボードを表示する表示ステップとを有する制御方法。
【請求項９】
画像処理システムが備える本体部に対する動作を指示し、ユーザが操作を行うソフトキーボードを制御する操作部において実行されるプログラムであって、
前記操作部を、
前記ユーザの属性と、前記ソフトキーボードが有する特徴とを対応付けて記憶する記憶手段、
前記操作を行うユーザの属性に対応する、前記記憶手段により記憶される前記特徴を有するソフトキーボードを選択する選択手段、
前記選択手段により選択された前記ソフトキーボードを表示する表示手段として機能させるプログラム。
【発明の詳細な説明】
【技術分野】
【０００１】
本発明は、画像処理システム、操作部、制御方法及びプログラムに関する。
【背景技術】
【０００２】
機器において文字等の入力処理を実現するキーボードには、例えば言語やキーの配列（ＱＷＥＲＴＹ配列やＡＺＥＲＴＹ配列）等の違いにより複数の種類が存在する。キーボードがソフトウェアキーボード（ソフトキーボード）である場合、ハードウェアキーボード（ハードキーボード）に比べて、複数の種類のキーボードをソフトウェア上の操作で容易に切り替えることができる。特に、複数人に共用される機器が多様な言語環境（欧州等の国や多国籍企業等）で使用される場合、ユーザは使い慣れた言語等に対応したソフトキーボードに切り替えて機器に情報を入力できるといった利点がある。
【０００３】
しかしながら、このような環境では、頻繁にソフトキーボードを切り替えるといった操作が発生し、また切り替えのための時間が掛かるため、作業効率が低下してしまうという問題があった。
【０００４】
そこで、特許文献１にはソフトウェアキーボードの使い勝手をよくすることを目的とし、画像形成装置に接続されたＵＳＢデバイスに記憶される国情報に対応した国のソフトウェアキーボードを表示する技術が開示されている。
【０００５】
また、特許文献２には、住所など地域に関する情報をキーワード検索する際に、ソフトウェアキーボード上で所望の言語の文字を容易に入力できるようにすることを目的とした技術が開示されている。この技術は、具体的には地域に関する情報をキーワード検索する際にユーザ操作により選択された地域を判定し、選択された地域の公用語に対応したソフトウェアキーボードに切り替えて画面上に表示させる技術である。
【発明の概要】
【発明が解決しようとする課題】
【０００６】
しかしながら、特許文献１又は特許文献２に記載の技術では、上述したような多様な言語環境においてユーザが変わる度にソフトキーボードを切り替えることにより生じうる上記問題を解消できない。
【０００７】
そこで、本発明は、上記の点に鑑みてなされたものであって、ユーザの属性に適したソフトキーボードに自動的に切り替えることを目的とする。
【課題を解決するための手段】
【０００８】
上記の課題を解決するため、本発明の画像処理システムは、ユーザが操作を行うソフトキーボードを制御する操作部と、前記操作部からの指示に基づき動作する本体部とを備える画像処理システムであって、前記操作部は、前記ユーザの属性と、前記ソフトキーボードが有する特徴とを対応付けて記憶する記憶手段と、前記操作を行うユーザの属性に対応する、前記記憶手段により記憶される前記特徴を有するソフトキーボードを選択する選択手段と、前記選択手段により選択された前記ソフトキーボードを表示する表示手段とを有する。
【発明の効果】
【０００９】
本発明の実施の形態によれば、ユーザの属性に適したソフトキーボードに自動的に切り替えることができる。
【図面の簡単な説明】
【００１０】
【図１】本発明の実施形態における画像処理システムの構成例を示す図である。
【図２】本発明の実施形態における画像処理システムの他の構成例を示す図である。
【図３】本発明の実施形態における操作部又は端末装置のアプリが本体部の機能を利用する場合のアプリ操作データの流れを示す図である。
【図４】本発明の実施形態における操作部コントローラの機能構成の一例を示す図である。
【図５】本発明の実施形態におけるソフトキーボード情報記憶部に記憶される情報の一例を示すである。
【図６】本発明の実施形態におけるソフトキーボードのタイプの一例を示す図である。
【図７】本発明の実施形態におけるユーザ情報記憶部に記憶される情報の一例を示すである。
【図８】本発明の実施形態におけるユーザ属性別キーボード情報記憶部に記憶される情報の一例を示すである。
【図９】本発明の実施形態におけるソフトキーボード選択方法記憶部に記憶される情報の一例を示す図である。
【図１０】本発明の実施形態における操作部によるログイン時のソフトキーボードの選択処理の一例を示すフローチャート図である。
【図１１】本発明の実施形態における操作部によるログアウト後の処理の一例を示すフローチャート図である。
【発明を実施するための形態】
【００１１】
以下、本発明の実施の形態（以下、「実施形態」という。）を図面に基づいて説明する。
【００１２】
[システム構成]
図１は、本発明の実施形態における画像処理システム１の構成例を示す図である。
【００１３】
図１において、画像処理システム１は本体部２と操作部３とを備え、本体部２と操作部３はケーブル４により接続されている。
【００１４】
本体部２は、例えばＭＦＰ等の画像処理装置の本体である。本体部２は、本体部２の制御動作を司る本体部コントローラ２１と、原稿の読み取りを行うスキャナデバイス２２と、用紙に印刷を行うプロッタデバイス２３とを備えている。本体部２は、ＬＡＮ（Local  Area  Network）、ＷＡＮ（Wide  Area  Network）、インターネット等のネットワーク５を介してＰＣ（Personal  Computer）等の端末装置６からアクセスを受け付けることができるとともに、無線アクセスポイント７を介してスマートフォン、タブレット等の端末装置８からアクセスを受け付けることができるようになっている。端末装置８からＢｌｕｅｔｏｏｔｈ（登録商標）等の近距離無線通信により本体部２に直接にアクセスするようにしてもよい。
【００１５】
操作部３は、例えば画像処理装置の操作パネルである。操作部３は、操作部３の制御動作を司る操作部コントローラ３１と、ユーザが操作するハードキー３２と、表示部として画面の表示及び操作入力受付を行う液晶タッチパネル３３と、着脱が可能なメモリカード等の外部記憶装置３４とを備えている。操作部コントローラ３１には、ＣＰＵ及び各種プログラムが格納されるメモリ装置が含まれ、メモリ装置に格納されたプログラムに従いＣＰＵが操作部３の各機能を実行する。なお、本発明の実施形態では、液晶タッチパネル３３に、文字、数字又は記号等の入力処理を実現するソフトキーボードが表示される。但し、ソフトキーボードは、操作部３に限らず、例えば端末装置６、８に表示されるようにしてもよい。
【００１６】
なお、本体部２と操作部３との接続は、ケーブル４による有線接続に代えて、図２の画像処理システム１の他の構成例に示されるように、操作部３が無線アクセスポイント７を介して、本体部２と接続するようにしてもよい。この場合、例えば、操作部３自体がスマートフォン等の端末装置のような形態として使用され得る。また、このとき操作部３は、操作部３が備える無線ＬＡＮ通信Ｉ／Ｆ３５によりＩＥＥＥ８０２．１１規格に準拠する無線ＬＡＮ通信を用いて無線アクセスポイント７と通信を行う。なお、本体部２と操作部３とは、Ｂｌｕｅｔｏｏｔｈ等の近距離無線通信や赤外線通信により接続してもよい。
【００１７】
図３は、本発明の実施形態における操作部３又は端末装置６、８のアプリが本体部２の機能を利用する場合のアプリ操作データの流れを示す図である。
【００１８】
図３において、操作部３は、本体部２からケーブル４により制御線と電源線が供給される。操作部３のアプリ層からのアプリ操作データは、ケーブル４を介して本体部２のサービス層に伝えられる。端末装置６、８のアプリ層からのアプリ操作データは、ネットワーク５を介して本体部２のサービス層に伝えられる。
【００１９】
[機能構成]
図４は、本発明の実施形態における操作部コントローラ３１の機能構成の一例を示す図である。
【００２０】
図４において、操作部コントローラ３１は、ソフトキーボード情報管理部３１１、ユーザ情報管理部３１２、ユーザ属性別キーボード情報管理部３１３、ソフトキーボード選択方法管理部３１４、認証処理部３１５、ソフトキーボード選択部３１６、入力受付部３１７、表示制御部３１８、ソフトキーボード情報記憶部３１１１、ユーザ情報記憶部３１２１、ユーザ属性別キーボード情報記憶部３１３１及びソフトキーボード選択方法記憶部３１４１等を有する。
【００２１】
ソフトキーボード情報管理部３１１は、図５に示すソフトキーボード情報記憶部３１１１を用いて、ソフトキーボードに関する情報を管理する。図５は、本発明の実施形態におけるソフトキーボード情報記憶部３１１１に記憶される情報の一例を示すである。図５に示されるように、ソフトキーボード情報記憶部３１１１は、「キーボードＩＤ」、「キーボードタイプ」、「キーボードの特徴」に含まれる「キーサイズ」及び「Ｅｎｔｅｒキー形状」等並びに「デフォルトキーボード指定」等のデータ項目を有する。「キーボードＩＤ」は、ソフトキーボードの型（タイプ）を、ソフトキーボード情報記憶部３１１１において一意に識別するための識別情報である。「キーボードタイプ」は、ソフトキーボードのタイプを示す。ソフトキーボードのタイプとは、例えば図６（ａ）〜（ｃ）のソフトキーボードのタイプを示した図のように、キーの言語、配列（ＱＷＥＲＴＹ配列やＡＺＥＲＴＹ配列等）、サイズ、形状等及びキー又はソフトキーボード全体のデザイン等に基づき分類されるソフトキーボードの種類である。「キーボードの特徴」は、ソフトキーボードの「キーサイズ」や「Ｅｎｔｅｒキー形状」等のソフトキーボードの外観の特徴である。なお、「キーボードの特徴」には、「キーサイズ」や「Ｅｎｔｅｒキー形状」に限らず、例えばキーの並び順、スマートフォン向けキーボードであるか否か又は音声入力用キーボードであるか否か等を含めてもよい。「デフォルトキーボード指定」は、ユーザ毎にカスタマイズされたキーボードを使用しない場合、画像処理システム１の初期状態で使用されるソフトキーボードを指定するための項目である。「デフォルトキーボード指定」に、「デフォルト」の値が設定されたソフトキーボード（キーボードタイプ）がデフォルトキーボードとなる。
【００２２】
図４に戻り説明する。
【００２３】
ユーザ情報管理部３１２は、図７に示すユーザ情報記憶部３１２１を用いて、ユーザに関する情報を管理する。図７は、本発明の実施形態におけるユーザ情報記憶部３１２１に記憶される情報の一例を示すである。図７に示されるように、ユーザ情報記憶部３１２１は、「ユーザＩＤ」、「ユーザ属性」に含まれる「性別」及び「国籍」等並びに「指定キーボードタイプ」等のデータ項目を有する。「ユーザＩＤ」は、ユーザ情報記憶部３１２１においてユーザを一意に識別するユーザ識別情報である。「ユーザ属性」は、「性別」や「国籍」等のユーザの属性を示す情報である。なお、「ユーザ属性」には、「性別」や「国籍」に限らず、例えば使用する言語やユーザの身長のような身体的特徴等を含めてもよい。「指定キーボードタイプ」は、ユーザが予め使用するソフトキーボードのタイプを指定する場合に設定されるキーボードタイプである。
【００２４】
図４に戻り説明する。
【００２５】
ユーザ属性別キーボード情報管理部３１３は、図８に示すユーザ属性別キーボード情報記憶部３１３１を用いて、ユーザ属性とソフトキーボードの特徴とを対応付けて管理する。図８は、本発明の実施形態におけるユーザ属性別キーボード情報記憶部３１３１に記憶される情報の一例を示すである。図８に示されるように、ユーザ属性別キーボード情報記憶部３１３１には、「ユーザ属性」に対応付けて「キーボードの特徴」が記憶される。
【００２６】
図４に戻り説明する。
【００２７】
ソフトキーボード選択方法管理部３１４は、図９に示すソフトキーボード選択方法記憶部３１４１を用いて、ソフトキーボードの選択方法を示す情報を管理する。図９は、本発明の実施形態におけるソフトキーボード選択方法記憶部３１４１に記憶される情報の一例を示すである。図９に示されるように、ソフトキーボード選択方法記憶部３１４１には、ソフトキーボードとしてデフォルトキーボードを使用するか又はユーザカスタマイズキーボードを使用するかを指定する「ソフトキーボード選択方法」が記憶される。図９の例では、デフォルトキーボードが選択される場合は「０」、ユーザカスタマイズキーボードが選択される場合は「１」が「ソフトキーボード選択方法」に設定される。
【００２８】
認証処理部３１５は、ユーザにより入力されたユーザＩＤに基づき、ユーザが画像処理システム１にログインするためのログイン処理（認証処理）及びログアウト処理を行う。具体的には、認証処理部３１５は、ユーザにより入力されたユーザＩＤがユーザ情報記憶部３１２１に記憶されるユーザＩＤに含まれるか否かを判定する。そして、認証処理部３１５は、認証が成功した（ログインが許可された）場合、すなわち入力されたユーザＩＤがユーザ情報記憶部３１２１に記憶されるユーザＩＤに含まれている場合、認証の成功を示す情報を、ソフトキーボード選択部３１６に通知する。一方、認証が失敗した場合、認証処理部３１５は、認証の失敗を示す情報を、表示制御部３１８に表示させる。なお、認証処理の方法は、ユーザＩＤのみを用いた認証に限らず、ユーザＩＤとパスワードとの組み合わせを用いたパスワード認証やユーザ識別情報を含むＩＣカードを用いたＩＣカード認証又は指紋や網膜認証のような生体認証が用いられてもよい。
【００２９】
ソフトキーボード選択部３１６は、ユーザのログイン後、ユーザが使用するソフトキーボードを選択する。なお、ソフトキーボード選択部３１６による選択処理の詳細は、図１０に基づき後述する。
【００３０】
入力受付部３１７は、ハードキー３２又は液晶タッチパネル３３を制御し、ユーザからの入力指示を受け付ける。入力受付部３１７は、例えばユーザからのソフトキーボード情報記憶部３１１１、ユーザ情報記憶部３１２１、ユーザ属性別キーボード情報記憶部３１３１及びソフトキーボード選択方法記憶部３１４１に記憶される情報の設定指示を受け付ける。また、入力受付部３１７は、ユーザからのログインのためのユーザＩＤの入力を受け付ける。
【００３１】
表示制御部３１８は、液晶タッチパネル３３を制御し、ユーザに対する情報の表示出力を行う。
【００３２】
[処理手順]
＜ログイン時＞
図１０は、本発明の実施形態における操作部によるログイン時のソフトキーボードの選択処理の一例を示すフローチャート図である。
【００３３】
まず入力受付部３１７は、ユーザが画像処理システム１にログインするために入力したユーザＩＤを受け付けると、入力受付部３１７は認証処理部３１５に入力されたユーザＩＤを通知する。認証処理部３１５は、通知されたユーザＩＤに基づき、ユーザ情報記憶部３１２１を参照し、認証処理を行う。次に、認証処理部３１５は、認証が成功した場合、ユーザのログインを許可する（Ｓ１０１）。そして、認証処理部３１５は、ユーザのログインの完了をソフトキーボード選択部３１６に通知する。
【００３４】
ソフトキーボード選択部３１６は、ソフトキーボード選択方法管理部３１４を介して、ソフトキーボード選択方法記憶部３１４１に記憶される「ソフトキーボード選択方法」がユーザカスタマイズキーボードの使用を示しているか否かを判定する（Ｓ１０２）。
【００３５】
ここで、「ソフトキーボード選択方法」がユーザカスタマイズキーボードの使用を示していない場合、すなわち「ソフトキーボード選択方法」にデフォルトキーボードの使用を示す情報（「０」）が設定されている場合（ステップＳ１０２においてＮＯ）、ソフトキーボード情報管理部３１１を介し、ソフトキーボード情報記憶部３１１１に記憶される「デフォルトキーボード指定」に対応する「キーボードタイプ」を使用するソフトキーボードとして選択する（Ｓ１０３）。
【００３６】
一方、ステップＳ１０２において「ソフトキーボード選択方法」にユーザカスタマイズキーボードの使用を示している情報（「１」）が設定されている場合（ステップＳ１０２においてＹＥＳ）、ログインしたユーザが指定したソフトキーボードの有無を判定する（Ｓ１０４）。具体的には、ソフトキーボード選択部３１６は、ユーザ情報記憶部３１２１を参照し、ログインしたユーザのユーザＩＤに対応する「指定キーボードタイプ」の設定有無を判定する。
【００３７】
ここで、ユーザ情報記憶部３１２１に、ログインしたユーザのユーザＩＤに対応する「指定キーボードタイプ」の設定が有ると判定された場合（ステップＳ１０４においてＹＥＳ）、「指定キーボードタイプ」の「キーボードタイプ」を使用するソフトキーボードとして選択する（Ｓ１０５）。
【００３８】
一方、ステップＳ１０４においてユーザ情報記憶部３１２１に、ログインしたユーザのユーザＩＤに対応する「指定キーボードタイプ」の設定が無いと判定された場合（ステップＳ１０４においてＮＯ）、ログインしたユーザのユーザ属性に基づくキーボードの特徴が特定される（Ｓ１０６）。具体例を挙げて説明すると、例えばログインしたユーザのユーザＩＤが「ｕｓｒ０２」である場合、ユーザ情報記憶部３１２１に記憶される情報が図７に示される値であるとすると、ユーザ属性は性別が「男性」、国籍が「アメリカ」である。そして、ユーザ属性別キーボード情報記憶部３１３１に記憶される情報が例えば図８に示される値の場合、性別「男性」、国籍「アメリカ」のユーザ属性に対応するキーボードの特徴は、キーサイズが「中」又は「大」、Ｅｎｔｅｒキー形状が「横長」となる。
【００３９】
次に、特定したキーボードの特徴に基づくキーボードタイプが選択される（Ｓ１０７）。ここで、ソフトキーボード情報記憶部３１１１に記憶される情報が例えば図５に示される値の場合、ソフトキーボード情報記憶部３１１１におけるキーサイズが「中」又は「大」、Ｅｎｔｅｒキー形状が「横長」のいずれかに合致するキーボードの特徴の数をカウントする。このカウントの結果は、キーボードタイプ「ｔｙｐｅ１０１」が「１」、「ｔｙｐｅ１０２」が「１」、「ｔｙｐｅ１０３」が「２」、「ｔｙｐｅ１０４」が「２」、「ｔｙｐｅ１０５」が「０」のようになる。したがって、カウント数が多い（「２」である）「ｔｙｐｅ１０３」又は「ｔｙｐｅ１０４」のキーボードが使用する候補となるが、同数である場合は例えばソフトキーボード情報記憶部３１１１の「キーボードＩＤ」が昇順の順に優先して選択されるとすると、「ｔｙｐｅ１０３」のキーボードが使用対象として決定される。なお、このカウント数が同数である場合の処理は、例えば、キーボードの特徴（キーサイズ又はＥｎｔｅｒキー形状）及びその特徴のパラメータ（大、中、小、縦長、横長）毎に優先順位を設定し、優先順位の高いものを有するキーボードタイプを選択するようにしてもよい。
【００４０】
そして、ステップＳ１０３、Ｓ１０５、Ｓ１０７において選択されたキーボードタイプのソフトキーボードが、表示制御部３１８により操作部３の液晶タッチパネル３３に表示される（Ｓ１０８）。なお、選択されたソフトキーボードは、操作部３の液晶タッチパネル３３に限らず、端末装置６、８のディスプレイ等に表示させてもよい。
【００４１】
上述した処理手順により、本発明の実施形態の画像処理システム１は、ログイン時においてユーザ属性に基づき選択されたソフトキーボードを、ユーザに表示出力できる。
【００４２】
＜ログアウト時＞
図１１は、本発明の実施形態における操作部によるログアウト後の処理の一例を示すフローチャート図である。
【００４３】
入力受付部３１７がユーザによる画像処理システム１からのログアウトの操作を受け付けると、認証処理部３１５はそのユーザに対するログアウト処理を実行する（Ｓ２０１）。そして、認証処理部３１５は、ユーザのログアウト処理の完了をソフトキーボード選択部３１６に通知する。
【００４４】
ソフトキーボード選択部３１６は、ソフトキーボード選択方法管理部３１４を介して、ソフトキーボード選択方法記憶部３１４１に記憶される「ソフトキーボード選択方法」がユーザカスタマイズキーボードの使用を示しているか否かを判定する（Ｓ２０２）。
【００４５】
ここで、「ソフトキーボード選択方法」がユーザカスタマイズキーボードの使用を示していない場合、すなわち「ソフトキーボード選択方法」にデフォルトキーボードの使用を示す情報（「０」）が設定されている場合（ステップＳ２０２においてＮＯ）、ソフトキーボード情報管理部３１１を介し、ソフトキーボード情報記憶部３１１１に記憶される「デフォルトキーボード指定」に対応する「キーボードタイプ」のキーボードを選択する（Ｓ２０３）。
【００４６】
一方、ステップＳ２０２において「ソフトキーボード選択方法」にユーザカスタマイズキーボードの使用を示している情報（「１」）が設定されている場合（ステップＳ２０２においてＹＥＳ）、ユーザ属性の平均に基づく「キーボードタイプ」を選択する（Ｓ２０４）。具体的には、ソフトキーボード選択部３１６は、ユーザ情報記憶部３１２１を参照し、全てのユーザの各ユーザ属性のうち最多のパラメータを抽出する。例えば、ユーザ属性の「性別」において「男性」が最多であり、「国籍」において「日本」が最多である場合、ユーザ属性の平均は「性別」が「男性」、「国籍」が「日本」となる。次に、図８に示されるユーザ属性別キーボード情報記憶部３１３１から、性別「男性」、国籍「日本」に対応するキーボードの特徴としてキーサイズ「中」、Ｅｎｔｅｒキー形状「縦長」を特定する。そして、図５に示されるソフトキーボード情報記憶部３１１１から、キーボードの特徴であるキーサイズ「中」、Ｅｎｔｅｒキー形状「縦長」に対応するキーボードタイプ「ｔｙｐｅ１０１」のキーボードが選択される。
【００４７】
そして、ステップＳ２０３又はＳ２０５において選択されたキーボードタイプのキーボードが、表示制御部３１８により操作部３の液晶タッチパネル３３に表示される（Ｓ２０６）。なお、選択されたキーボードは、操作部３の液晶タッチパネル３３に限らず、端末装置６、８のディスプレイ等に表示させてもよい。
【００４８】
上述した処理手順により、本発明の実施形態の画像処理システム１は、画像処理システム１からユーザがログアウトした時に、最多のユーザ属性に基づくソフトキーボード、すなわち最も多く使用されるソフトキーボードが選択され表示される。
【００４９】
これにより、例えばゲストユーザとして画像処理システム１にログインせずにソフトキーボードを使用する場合、そのユーザが属する企業や職場等で最も使用されるソフトキーボードが表示される。そのため、各ユーザが識別されないゲストユーザであっても、自分の属性に合ったキーボードが当初から選択されている可能性が高く、ソフトキーボードを切り替える手間を省くことができる。
【００５０】
[総括]
上述したように、本発明の実施形態の画像処理システム１によれば、ユーザ属性に基づき選択されたソフトキーボードを、ユーザに表示出力する。
【００５１】
これにより、ユーザは自身のユーザ属性（性別や国籍等）に合ったソフトキーボードに手動で切り替えることなく、自動でユーザ属性に適したソフトキーボードに切り替えることができる。したがって、ユーザによるソフトキーボードを切り替える操作の手間や切り替えのための時間をかけることなく、効率的に作業を行うことができるようになる。
【００５２】
以上、本発明の実施形態について詳述したが、本発明はかかる特定の実施の形態に限定されるものではなく、特許請求の範囲に記載された本発明の要旨の範囲内において、種々の変形、変更が可能である。
【符号の説明】
【００５３】
１          画像処理システム
２          本体部
２１        本体部コントローラ
２２        スキャナデバイス
２３        プロッタデバイス
３          操作部
３１        操作部コントローラ
３１１      ソフトキーボード情報管理部
３１１１    ソフトキーボード情報記憶部
３１２      ユーザ情報管理部
３１２１    ユーザ情報記憶部
３１３      ユーザ属性別キーボード情報管理部
３１３１    ユーザ属性別キーボード情報記憶部
３１４      ソフトキーボード選択方法管理部
３１４１    ソフトキーボード選択方法記憶部
３１５      認証処理部
３１６      ソフトキーボード選択部
３１７      入力受付部
３１８      表示制御部
３２        ハードキー
３３        液晶タッチパネル
３４        外部記憶装置
４          ケーブル
５          ネットワーク
６          端末装置
７          無線アクセスポイント
８          端末装置
【先行技術文献】
【特許文献】
【００５４】
【特許文献１】特開２０１１−２３４１５８号公報
【特許文献２】特開２０１１−２４８５３３号公報
【図３】
2014192687.tif 000003
【図４】
2014192687.tif 000004
【図５】
2014192687.tif 000005
【図６】
2014192687.tif 000006
【図７】
2014192687.tif 000007
【図８】
2014192687.tif 000008
【図９】
2014192687.tif 000009
【図１０】
2014192687.tif 000010
【図１１】
2014192687.tif 000011
【図１】
2014192687.tif 000012
【図２】
2014192687.tif 000013